(57)【要約】      （修正有）【課題】複数のパートで構成される楽曲を再生する。【解決手段】楽曲再生装置２００は、楽曲配信装置３００で提供されている楽曲の中から音源データを取得する楽曲の選択を受け付ける取得対象楽曲選択受付手段と、取得対象楽曲選択受付手段によって選択を受け付けた楽曲を構成するパートごとに、取得する音源データの選択を受け付ける取得対象音源データ選択受付手段と、取得対象音源データ選択受付手段によって選択を受け付けた音源データを、楽曲配信装置３００から取得する音源データ取得手段と、音源データ取得手段によって取得された音源データを、楽曲単位でパートごとに記憶媒体に記録する音源データ記録手段と、再生対象の楽曲の選択を受け付ける再生対象楽曲選択受付手段と、パートごとの音源データで構成される楽曲を再生する楽曲再生手段とを備える。【選択図】図１
2015026021.tif 000002
【特許請求の範囲】
【請求項１】
通信回線を介して接続された音源提供装置から、楽曲の音源データをパートごとに取得して楽曲を再生する楽曲再生装置であって、
ユーザによる操作に基づいて、前記音源提供装置で提供されている楽曲の中から音源データを取得する楽曲の選択を受け付ける取得対象楽曲選択受付手段と、
ユーザによる操作に基づいて、前記取得対象楽曲選択受付手段によって選択を受け付けた楽曲を構成するパートごとに、取得する音源データの選択を受け付ける取得対象音源データ選択受付手段と、
ユーザによって音源データの取得が指示されたときに、前記取得対象音源データ選択受付手段によって選択を受け付けた音源データを、前記音源提供装置から取得する音源データ取得手段と、
前記音源データ取得手段によって取得された音源データを、楽曲単位でパートごとに記憶媒体に記録する音源データ記録手段と、
ユーザによる操作に基づいて、再生対象の楽曲の選択を受け付ける再生対象楽曲選択受付手段と、
ユーザによる操作に基づいて、前記再生対象楽曲選択受付手段によって選択を受け付けた楽曲を構成するパートごとに、再生する音源データの選択を受け付ける再生対象音源データ選択受付手段と、
前記再生対象音源データ選択受付手段によって選択を受け付けた音源データを前記記憶媒体から読み出す音源データ読み出し手段と、
前記音源データ読み出し手段によって読み出された音源データに基づいて、パートごとの音源データで構成される楽曲を再生する楽曲再生手段とを備えることを特徴とする楽曲再生装置。
【請求項２】
請求項１に記載の楽曲再生装置において、
ユーザによる操作に基づいて、前記再生対象音源データ選択受付手段によって選択を受け付けた音源データの中から、変更対象の音源データの選択を受け付けるとともに、前記変更対象の音源データに代えて再生する再生対象の音源データの選択を受け付ける変更音源データ選択受付手段をさらに備えることを特徴とする楽曲再生装置。
【請求項３】
請求項１または２に記載の楽曲再生装置において、
前記楽曲再生手段は、パートごとの音源データを同時に再生することにより、楽曲を再生することを特徴とする楽曲再生装置。
【請求項４】
請求項１または２に記載の楽曲再生装置において、
前記楽曲再生手段は、パートごとの音源データを合成して再生用データを作成し、前記再生用データを用いて楽曲を再生することを特徴とする楽曲再生装置。
【請求項５】
請求項１〜４のいずれか一項に記載の楽曲再生装置において、
前記楽曲再生手段によって前記楽曲が再生されている間、再生中の楽曲に関連する画像や動画を表示装置に表示する表示手段をさらに備えることを特徴とする楽曲再生装置。
【請求項６】
請求項５に記載の楽曲再生装置において、
ユーザによる操作に基づいて、前記再生中の楽曲に関連する画像や動画のデータを前記音源提供装置から取得する関連情報取得手段をさらに備えることを特徴とする楽曲再生装置。
【請求項７】
請求項１〜６のいずれかに記載の楽曲再生装置と、請求項１〜６のいずれかに記載の音源提供装置とを通信回線を介して接続した楽曲再生システム。
【発明の詳細な説明】
【技術分野】
【０００１】
本発明は、楽曲再生装置、および楽曲再生システムに関する。
【背景技術】
【０００２】
次のような楽音生成装置が知られている。この楽音生成装置は、複数の演奏パートの内の複数の特定演奏パートのそれぞれについて、異なるバリエーションの複数のパートデータを含む演奏データを記録しておき、ユーザの動作に基づいて特定演奏パート毎に複数のパートデータのうちの１つを選択し、各特定演奏パート毎に選択された１つのパートデータを選択的に読み出して伴奏音楽の楽音信号を合成する。また、ユーザの動作に基づいて各特定演奏パート毎に選択すべきパートデータをリアルタイムで切り替えて伴奏音楽の楽音信号を合成する（例えば、特許文献１）。
【先行技術文献】
【特許文献】
【０００３】
【特許文献１】特開２００２−１９６７６０号公報
【発明の概要】
【発明が解決しようとする課題】
【０００４】
近年の通信技術の発達により、通信回線を介して接続された装置間での大容量データの送受信が可能となった。このため、楽曲の提供者は、ユーザに対して、サーバからダウンロードにより楽曲データを提供することが可能となり、ユーザは、これらを通信回線に接続された装置や端末でダウンロードにより取得して再生することが可能となっている。ここで、取得可能な楽曲は、一般的には、ギターパート、ベースパート、ボーカルパート等の各パートから構成されるが、これらは楽曲ごとに固定となり、ユーザは、楽曲を構成するパートごとに音源データを選択して取得することはできない。また、特許文献１に記載の楽音生成装置のように、あらかじめ異なるバリエーションの複数のパートデータを含む演奏データを記録しておき、これらの中からユーザの動作に基づいて選択したパートデータを合成する技術は存在するが、従来の技術では、通信回線を介して接続された音源提供装置からユーザがパートごとに音源データを選択して取得し、該音源データに基づいて楽曲を再生する技術については、何ら検討がされていなかった。
【課題を解決するための手段】
【０００５】
本発明による楽曲再生装置は、通信回線を介して接続された音源提供装置から、楽曲の音源データをパートごとに取得して楽曲を再生する楽曲再生装置であって、ユーザによる操作に基づいて、音源提供装置で提供されている楽曲の中から音源データを取得する楽曲の選択を受け付ける取得対象楽曲選択受付手段と、ユーザによる操作に基づいて、取得対象楽曲選択受付手段によって選択を受け付けた楽曲を構成するパートごとに、取得する音源データの選択を受け付ける取得対象音源データ選択受付手段と、ユーザによって音源データの取得が指示されたときに、取得対象音源データ選択受付手段によって選択を受け付けた音源データを、音源提供装置から取得する音源データ取得手段と、音源データ取得手段によって取得された音源データを、楽曲単位でパートごとに記憶媒体に記録する音源データ記録手段と、ユーザによる操作に基づいて、再生対象の楽曲の選択を受け付ける再生対象楽曲選択受付手段と、ユーザによる操作に基づいて、再生対象楽曲選択受付手段によって選択を受け付けた楽曲を構成するパートごとに、再生する音源データの選択を受け付ける再生対象音源データ選択受付手段と、再生対象音源データ選択受付手段によって選択を受け付けた音源データを記憶媒体から読み出す音源データ読み出し手段と、音源データ読み出し手段によって読み出された音源データに基づいて、パートごとの音源データで構成される楽曲を再生する楽曲再生手段とを備えることを特徴とする。
本発明による楽曲再生システムは、上記の楽曲再生装置と、上記の音源提供装置とを通信回線を介して接続したことを特徴とする。
【発明の効果】
【０００６】
本発明によれば、通信回線を介して接続された音源提供装置からユーザがパートごとに音源データを選択して取得し、該音源データに基づいて楽曲を再生することができる。
【図面の簡単な説明】
【０００７】
【図１】楽曲再生システム１００の一実施の形態の構成を示すブロック図である。
【図２】楽曲再生装置２００の一実施の形態の構成を示すブロック図である。
【図３】楽曲配信装置３００の一実施の形態の構成を示すブロック図である。
【図４】取得対象楽曲選択画面の一例を示す図である。
【図５】パート選択画面の一例を示す図である。
【図６】取得対象音源データ選択画面の一例を示す図である。
【図７】パート編集画面の一例を示す図である。
【図８】音源選択画面の一例を示す図である。
【図９】楽曲再生装置２００で実行される音源データ取得処理の流れを示すフローチャート図である。
【図１０】楽曲再生装置２００で実行される楽曲再生処理の流れを示すフローチャート図である。
【発明を実施するための形態】
【０００８】
図１は、本実施の形態における楽曲再生システムの一実施の形態の構成を示すブロック図である。楽曲再生システム１００は、楽曲再生装置２００と、楽曲配信装置３００とで構成される。楽曲再生装置２００は、ユーザが所持する端末であって、例えばスマートフォン、タブレット端末、ＰＤＡ、パソコン等の情報端末が用いられる。また、楽曲配信装置３００は、楽曲再生装置２００と通信を行って、楽曲再生装置２００へ楽曲データを配信するための装置であって、例えば、サーバ装置やパソコン等の装置が用いられる。なお、本実施の形態では、後述するように、楽曲データは、楽曲を構成するパートごとの音源データを含んでいるため、楽曲配信装置３００は、これらの音源データをユーザへ提供するための音源提供装置として機能する。
【０００９】
本実施の形態では、楽曲再生装置２００と楽曲配信装置３００とは、例えばインターネットや携帯電話網等の通信回線を介して接続される。なお、図１では、楽曲再生装置２００と楽曲配信装置３００は、それぞれ１台で構成される例を示しているが楽曲再生システム１００の構成はこれに限定されない。
【００１０】
図２は、本実施の形態における楽曲再生装置２００としてスマートフォンを用いた場合の一実施の形態の構成を示すブロック図である。
【００１１】
楽曲再生装置２００は、タッチパネル２０１と、通信モジュール２０２と、マイク２０３と、制御装置２０４と、スピーカー２０５とを備えている。
【００１２】
タッチパネル２０１は、液晶パネル等の表示装置とタッチパッドのような位置入力装置を組み合わせた電子部品であり、画面上の表示を押すことで機器を操作することができる入力装置である。例えば、楽曲再生装置２００のユーザは、液晶パネル上に表示されたボタンやメニュー等の表示項目を指やタッチペンを用いてタッチまたはスライドさせることにより、楽曲再生装置２００を操作することができる。タッチパネル２０１は、ユーザによるタッチやスライドといった操作を検出して、その検出信号を制御装置２０４へ出力する。
【００１３】
通信モジュール２０２は、無線または有線により、ＬＡＮや携帯電話通信網を介してインターネットに接続するためのモジュールが用いられる。本実施の形態では、楽曲再生装置２００は、通信モジュール２０２を介して楽曲配信装置３００と通信を行う。
【００１４】
マイク２０３は、ユーザによる発話音声を入力するための集音装置である。マイク２０３から入力されたアナログデータは、制御装置２０４でデジタル信号に変換される。また、スピーカー２０５は、音声を出力するための出力装置である。
【００１５】
制御装置２０４は、ＣＰＵ、メモリ、およびその他の周辺回路によって構成され、楽曲再生装置２００の全体を制御する。なお、制御装置２０４を構成するメモリは、例えばＳＤＲＡＭ等の揮発性のメモリやフラッシュメモリ等の不揮発性のメモリを含む。揮発性のメモリは、ＣＰＵがプログラム実行時にプログラムを展開するためのワークメモリや、データを一時的に記録するためのバッファメモリとして使用される。また、不揮発性のメモリには、楽曲再生装置２００を動作させるためのファームウェアや種々のアプリケーションを動作させるためのソフトウェアのプログラムデータが記録される。
【００１６】
本実施の形態では、この不揮発性のメモリに、スマートフォンを本実施の形態における楽曲再生装置２００として動作させるための楽曲再生アプリケーションのプログラムが記録されている。なお、楽曲再生アプリケーションのプログラムは、インターネットを介して接続されたサーバ上で公開されることにより提供されるものとし、ユーザは、これをダウンロードにより入手してあらかじめインストールしておく。あるいは、楽曲再生アプリケーションのプログラムは、ＣＤ−ＲＯＭやＤＶＤ−ＲＯＭ等の記録媒体に記録されて提供されるようにしてもよい。
【００１７】
図３は、本実施の形態における楽曲配信装置３００としてサーバ装置を用いた場合の一実施の形態の構成を示すブロック図である。楽曲配信装置３００は、操作部材３０１と、接続ＩＦ（インターフェース）３０２と、制御装置３０３と、記録装置３０４とを備えている。
【００１８】
操作部材３０１は、楽曲配信装置３００の操作者によって操作される種々の装置、例えばキーボードやマウスを含む。
【００１９】
接続ＩＦ３０２は、楽曲配信装置３００をインターネット等の通信回線に接続するためのインターフェースであり、例えば、インターネットに有線で接続するための有線ＬＡＮモジュールや、インターネットに無線で接続するための無線ＬＡＮモジュールなどが用いられる。本実施の形態では、楽曲配信装置３００は、接続ＩＦ３０２を介して楽曲再生装置２００と通信を行う。
【００２０】
制御装置３０３は、ＣＰＵ、メモリ、およびその他の周辺回路によって構成され、楽曲配信装置３００の全体を制御する。なお、制御装置３０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続ＩＦ３０２を介して読み込まれたデータは、バッファメモリに一時的に記録される。
【００２１】
記録装置３０４は、楽曲配信装置３００が蓄える種々のデータや、制御装置３０３が実行するためのプログラムのデータ等を記録するための記録装置であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記録装置３０４に記録されるプログラムのデータは、ＣＤ−ＲＯＭやＤＶＤ−ＲＯＭなどの記録媒体に記録されて提供されたり、ネットワークを介して提供され、使用者が取得したプログラムのデータを記録装置３０４にインストールすることによって、制御装置３０３がプログラムを実行できるようになる。
【００２２】
本実施の形態では、ユーザは、楽曲再生装置２００を操作して楽曲配信装置３００から楽曲データをダウンロードして取得することができる。また、取得した楽曲データを楽曲再生装置２００上で再生させて楽曲を視聴することができる。なお、ユーザが楽曲配信装置３００から楽曲データをダウンロードするに当たっては、ユーザに対して１曲あたりいくら、または後述する１パートあたりいくらといったように課金を行うようにしてもよいし、無料で楽曲を提供するようにしてもよい。
【００２３】
楽曲の提供者は、ユーザに対して楽曲を提供するに当たり、楽曲データをあらかじめ楽曲配信装置３００に記録しておく。例えば、提供者は、不図示の提供者端末から楽曲配信装置３００に楽曲データをアップロードすることによって、楽曲データをあらかじめ楽曲配信装置３００に記録することができる。制御装置３０３は、提供者端末から楽曲データを受信すると、受信した楽曲データを記録装置３０４に記録する。
【００２４】
本実施の形態では、楽曲データは、楽曲を構成するパートごとの音源データを含んでいる。すなわち、１曲の楽曲を再生するための楽曲データは、楽曲を構成するパートごとの複数の音源データにより構成されている。例えば、楽曲がボーカルパート、ギターパート、ベースパート、ドラムパートの４つのパートで構成される場合には、楽曲データは、ボーカルパートの音源データ、ギターパートの音源データ、ベースパートの音源データ、ドラムパートの音源データの４つの音源データを含んだデータとなる。
【００２５】
また、同じ楽曲であっても、異なるギタリストが演奏した複数のギターパートの音源データ、異なるベーシストが演奏した複数のベースパートの音源データ、異なるドラマーが演奏した複数のドラムパートの音源データ、異なるボーカリストが歌唱した複数のボーカルパートの音源データを含む場合もある。このため、制御装置３０３は、楽曲データを記録装置３０４に記録するに当たっては、楽曲ごとに少なくとも１つのパートを含み、かつパートごとに少なくとも１つの音源データを記録する。これによって、楽曲配信装置３００上では、複数の楽曲のそれぞれについて、各楽曲を構成する少なくとも１つのパートにつき、少なくとも１つの音源データが記録されて、ユーザに提供されることになる。
【００２６】
このとき、制御装置３０３は、各音源データが、どの楽曲の音源データであって、その楽曲を構成するどのパートの音源データであるかを特定するための管理情報も記録装置３０４に記録する。ここで、管理情報の一例を示す。制御装置３０３は、各楽曲に対して、楽曲を一意に識別するための識別情報として楽曲ＩＤを付与し、各音源データに対して、音源データを一意に識別するための識別情報として音源データＩＤを付与する。また、制御装置３０３は、各パートを一意に識別するための識別情報としてパートＩＤを付与する。そして、制御装置３０３は、音源データＩＤとその音源データのパートのパートＩＤを関連付けて記録装置３０４に記録する。さらに、楽曲ＩＤと、その楽曲に含まれる音源データの音源データＩＤとを関連付けて記録装置３０４に記録する。これにより、楽曲ＩＤと音源データＩＤとの関連付け情報を用いて、各音源データがどの楽曲の音源データであるかを特定することができ、さらに音源データＩＤとパートＩＤとの関連付け情報を用いて、各音源データが楽曲を構成するどのパートの音源データであるかを特定することができる。
【００２７】
ユーザは、楽曲配信装置３００上で提供されている楽曲データを楽曲再生装置２００を操作して取得することができる。具体的には、制御装置２０４は、ユーザによるタッチパネル２０１の操作を受け付けて、楽曲配信装置３００にアクセスし、楽曲情報の送信を要求する。楽曲配信装置３００では、制御装置３０３は、楽曲再生装置２００から楽曲情報の送信要求を受け付けると、記録装置３０４に記録されている楽曲データに関する楽曲情報を楽曲再生装置２００へ送信する。楽曲再生装置２００では、制御装置２０４は、楽曲配信装置３００から受信した楽曲情報を取得対象楽曲選択画面に一覧表示する。なお、楽曲情報としては、楽曲名やアーティスト名等のユーザが楽曲の内容を特定するための情報が表示される。
【００２８】
ユーザは、タッチパネル２０１を操作して、取得対象楽曲選択画面上に表示された楽曲情報の中から、取得したい楽曲の楽曲情報を選択する。例えば、図４に示すように、取得対象楽曲選択画面上には、アーティストＡが演奏する楽曲Ａ、アーティストＢが演奏する楽曲Ｂ、アーティストＣが演奏する楽曲Ｃ、アーティストＤが演奏する楽曲Ｄ、アーティストＥが演奏する楽曲Ｅ、アーティストＦが演奏する楽曲Ｆの楽曲情報が一覧表示されているものとする。この場合、ユーザが取得したい楽曲が楽曲Ａである場合には、ユーザは、取得対象楽曲選択画面上で楽曲Ａの楽曲情報４ａをタッチして選択する。
【００２９】
制御装置２０４は、取得対象楽曲選択画面上でユーザによっていずれかの楽曲情報が選択されると、ユーザによって選択された楽曲情報に対応する楽曲を特定するための情報、例えば、上述した楽曲ＩＤを楽曲配信装置３００へ送信する。
【００３０】
楽曲配信装置３００では、制御装置３０３は、楽曲再生装置２００から楽曲ＩＤを受信すると、記録装置３０４に記録されている音源データの中から、受信した楽曲ＩＤが関連付けられている音源データＩＤの音源データを特定する。また、制御装置３０３は、特定した音源データの音源データＩＤに関連付けられているパートＩＤに基づいて、各音源データのパートを特定する。制御装置３０３は、各音源データごとに、特定したパート名を表すパート情報と、そのパートの演奏者を示す情報などの音源データの内容を表す音源データ情報とを関連付けた音源情報を楽曲再生装置２００へ送信する。
【００３１】
楽曲再生装置２００では、制御装置２０４は、楽曲配信装置３００から音源情報を受信すると、タッチパネル２０１に図５に示すパート選択画面を表示し、受信した音源情報に含まれるパート情報に基づいて、取得対象楽曲選択画面上でユーザによって選択された楽曲を構成するパートのパート名を一覧表示し、ユーザによる選択を促す。図５に示す例では、楽曲Ａを構成するパートのパート名として、ボーカル、ギター、ベース、ドラムが表示されている。
【００３２】
ユーザは、タッチパネル２０１を操作して、パート選択画面上で音源データを取得したいパート名を選択する。制御装置２０４は、パート選択画面上でユーザによっていずれかのパート名が選択された場合には、音源情報に基づいて、そのパート名が示すパートのパート情報に関連付けられた音源データ情報を特定し、図６に示すように、特定した音源データ情報を一覧表示した取得対象音源データ選択画面をタッチパネル２０１へ表示する。
【００３３】
図６に示す例では、図５に示したパート選択画面でユーザによってボーカル５ａが選択されたことにより、楽曲Ａを構成するボーカルパートの音源データとして、男性ボーカルＡのボーカルパート、男性ボーカルＢのボーカルパート、女性ボーカルのボーカルパート、〇〇バンドのボーカルのボーカルパート、別歌詞バージョンのボーカルパートの各音源データ情報が選択可能に一覧表示されている。また、制御装置２０４は、楽曲Ａを構成する音源データのうち、既にメモリに記録されている音源データ、すなわち取得済みの音源データがある場合には、その音源データの表示領域内に「取得済み」の表示を行う。例えば、図６に示す例では、ユーザは、男性ボーカルＢのボーカルパートが既にメモリに記録されていることを把握することができる。
【００３４】
ユーザは、タッチパネル２０１を操作して、取得対象音源データ選択画面上に表示された音源データ情報の中から、取得したい音源データの音源データ情報を少なくとも１つ選択する。例えば、ユーザは、取得対象音源データ選択画面上で男性ボーカルＡのボーカル６ａと〇〇バンドのボーカルのボーカル６ｂとを選択することにより、楽曲Ａを構成するボーカルパートの音源データとして、男性ボーカルＡのボーカルパートの音源データと、〇〇バンドのボーカルのボーカルパートの音源データとを取得するように指示することができる。
【００３５】
制御装置２０４は、取得対象音源データ選択画面上でユーザによって選択された音源データ情報に対応する音源データを特定するための情報、例えば、上述した音源データＩＤを楽曲配信装置３００へ送信する。
【００３６】
楽曲配信装置３００では、制御装置３０３は、楽曲再生装置２００から音源データＩＤを受信すると、記録装置３０４に記録されている音源データの中から、受信した音源データＩＤが付加されている音源データと、その音源データに関する上述した管理情報とを読み出して、楽曲再生装置２００へ送信する。
【００３７】
楽曲再生装置２００では、制御装置２０４は、楽曲配信装置３００から音源データと管理情報を受信した場合には、受信した音源データと管理情報をメモリに記録する。これによって、ユーザは、楽曲配信装置３００から楽曲を構成するパートごとに、好みの音源データを取得することができる。また、制御装置２０４は、後述する処理において、管理情報を用いて、各音源データが、どの楽曲の音源データであって、その楽曲を構成するどのパートの音源データであるかを特定することが可能となる。
【００３８】
なお、ユーザは、取得対象音源データ選択画面上で、全てのパートの音源データ情報を選択すれば、楽曲データを構成する全てのパートの音源データを取得することができるため、楽曲を丸ごとダウンロードすることが可能になる。この場合、各パートの音源データ情報は１つずつ選択してもよいし、パートごとに複数の音源データ情報を選択してもよい。ユーザがパートごとに複数の音源データ情報を選択した場合には、１つのパートに対して複数の音源データがメモリに記録される。この場合は、後述する楽曲の再生処理において、ユーザは、パートごとにどの音源データを再生対象とするかを選択することができる。
【００３９】
ユーザは、楽曲ごとに音源データを取得した後は、楽曲再生装置２００上で楽曲データを再生させることによって、楽曲を視聴することが可能となる。以下、楽曲データを再生させるための処理について説明する。
【００４０】
ユーザは、メモリに記録されている楽曲データを指定して再生を指示することができる。具体的には、制御装置２０４は、ユーザによるタッチパネル２０１の操作を受け付けて、メモリに記録されている楽曲データの楽曲情報を一覧表示した再生対象楽曲選択画面をタッチパネル２０１に表示する。再生対象楽曲選択画面は、例えば、図４に示した取得対象楽曲選択画面と同様に、メモリに記録されている楽曲データの楽曲情報が一覧表示された画面レイアウトとなっている。
【００４１】
ユーザは、タッチパネル２０１を操作して、再生対象楽曲選択画面上に表示された楽曲情報の中から、視聴したい楽曲の楽曲情報を選択する。例えば、ユーザは、再生対象楽曲選択画面上に楽曲Ａ、楽曲Ｂ、楽曲Ｃの楽曲情報が表示されている場合に、視聴したい楽曲が楽曲Ａである場合には、楽曲Ａの楽曲情報をタッチして選択する。制御装置２０４は、再生対象楽曲選択画面上でユーザによっていずれかの楽曲情報が選択されると、選択された楽曲情報に対応する楽曲を再生するための楽曲再生画面をタッチパネル２０１に表示する。
【００４２】
楽曲再生画面には、ユーザからの楽曲の再生指示を受け付ける再生ボタンと、楽曲を構成するパートの編集を受け付けるパート編集ボタンとが配置されており、ユーザによって再生ボタンがタッチされた場合には、制御装置２０４は、メモリから再生対象楽曲選択画面上で選択された楽曲情報に対応する楽曲の楽曲データを読み出して再生する。このとき、制御装置２０４は、楽曲データに含まれる各パートの音源データを同時に再生してスピーカー２０５から音声を出力することにより、各パートで構成される楽曲を再生する。これによって、ユーザは、楽曲を視聴することができる。
【００４３】
なお、楽曲データに含まれる各パートに複数の音源データが含まれている場合には、制御装置２０４は、各パートにつき１つの音源データを選択して再生する。このときの選択方法は、次のような方法が考えられる。
【００４４】
ユーザーがあらかじめ楽曲ごとに各パートで再生する音源データを選択するようにする。制御装置２０４は、ユーザによって選択された各パートごとの音源データを、デフォルトで再生する音源データに設定して、その設定情報をメモリに記録しておく。制御装置２０４は、楽曲の再生時には、この設定情報を参照して、メモリから読み出して再生する音源データを選択する。
【００４５】
一方、ユーザによってパート編集ボタンがタッチされた場合には、制御装置２０４は、メモリから再生対象楽曲選択画面上で選択された楽曲情報に対応する楽曲の楽曲データを読み出すとともに、ユーザからのパートの編集を受け付けるためのパート編集画面をタッチパネル２０１に表示する。図７にパート編集画面の一例を示す。
【００４６】
図７は、パートごとに現在選択されている音源データが一覧表示されたパート編集画面である。制御装置２０４は、上述した管理情報を参照して、再生が指示された楽曲を構成するパートを特定するとともに、上述した設定情報を参照して、各パートで再生される音源データを特定して、パート編集画面に表示する。このパート編集画面上の表示により、ユーザは、女性ボーカルＡによるボーカルパート、ギタリストＡによるギターパート、ベーシストＢによるベースパート、およびドラマーＣによるドラムパートによって、再生対象の楽曲が構成されていることを把握することができる。
【００４７】
ユーザは、パート編集画面上に表示されたパートの中に、音源データを変更したいパートがある場合には、パート編集画面上でそのパートにタッチして選択する。制御装置２０４は、ユーザによってパート編集画面上でいずれかのパートが選択された場合には、選択されたパートの音源データとしてメモリに記録されている音源データを一覧表示する。例えば、図７のパート選択画面上で、ユーザによってボーカル７ａがタッチされてボーカルパートの音源データを変更するように指示された場合には、制御装置２０４は、図８に示す音源選択画面のように、ボーカル７ａの下段領域をスライドして拡張し、拡張したスペースに、メモリに記録されているボーカルパートの音源データ８ａ〜８ｃを一覧表示する。また、楽曲をボーカル無しで再生するように指定するためのボーカル無し８ｄも表示する。
【００４８】
ユーザは、音源選択画面上に表示された音源データの中から楽曲の構成に含めたい音源データにタッチして選択する。制御装置２０４は、ユーザによって音源選択画面上でいずれかの音源データが選択された場合には、選択された音源データをパート編集対象の楽曲における編集対象のパートの再生音源データに設定して、上述した設定情報を更新する。ユーザは、このようにしてパートの編集を行った後に、上述したように楽曲の再生を指示することにより、パートごとに好みの音源データを選択して楽曲を視聴することが可能となる。
【００４９】
図９は、本実施の形態において、楽曲再生装置２００で実行される音源データ取得処理の流れを示すフローチャートである。図９に示す処理は、ユーザによってタッチパネル２０１が操作されて楽曲データの取得が指示されると起動するプログラムとして、制御装置２０４によって実行される。
【００５０】
ステップＳ１０において、制御装置２０４は、楽曲配信装置３００へ楽曲情報の送信を要求する。その後、ステップＳ２０へ進む。
【００５１】
ステップＳ２０では、制御装置２０４は、楽曲配信装置３００から楽曲情報を受信したか否かを判断する。ステップＳ２０で肯定判断した場合には、ステップＳ３０へ進む。
【００５２】
ステップＳ３０では、制御装置２０４は、図４に示したように、楽曲配信装置３００から受信した楽曲情報を取得対象楽曲選択画面に一覧表示する。その後、ステップＳ４０へ進む。
【００５３】
ステップＳ４０では、制御装置２０４は、取得対象楽曲選択画面上でユーザによっていずれかの楽曲情報が選択されたか否かを判断する。ステップＳ４０で肯定判断した場合には、ステップＳ５０へ進む。
【００５４】
ステップＳ５０では、制御装置２０４は、取得対象楽曲選択画面上でユーザによって選択された楽曲情報に対応する楽曲を特定するための情報として、例えば、上述した楽曲ＩＤを楽曲配信装置３００へ送信する。その後、ステップＳ６０へ進む。
【００５５】
ステップＳ６０では、制御装置２０４は、楽曲配信装置３００から上述した音源情報を受信したか否かを判断する。ステップＳ６０で肯定判断した場合には、ステップＳ７０へ進む。
【００５６】
ステップＳ７０では、制御装置２０４は、図５に示したパート選択画面をタッチパネル２０１に表示し、楽曲配信装置３００から受信した音源情報に含まれるパート情報に基づいて、取得対象楽曲選択画面上でユーザによって選択された楽曲を構成するパートのパート名を一覧表示する。その後、ステップＳ８０へ進む。
【００５７】
ステップＳ８０では、制御装置２０４は、パート選択画面上でユーザによっていずれかのパート名が選択されたか否かを判断する。ステップＳ８０で肯定判断した場合には、ステップＳ９０へ進む。
【００５８】
ステップＳ９０では、制御装置２０４は、楽曲配信装置３００から受信した音源情報に基づいて、ユーザによって選択されたパート名が示すパートのパート情報に関連付けられた音源データ情報を特定し、図６にしたように、特定した音源データ情報を一覧表示した取得対象音源データ選択画面をタッチパネル２０１へ表示する。その後、ステップＳ１００へ進む。
【００５９】
ステップＳ１００では、制御装置２０４は、取得対象音源データ選択画面上でユーザによっていずれかの音源データ情報が選択されたか否かを判断する。ステップＳ１００で肯定判断した場合には、ステップＳ１１０へ進む。
【００６０】
ステップＳ１１０では、制御装置２０４は、ユーザによって選択された音源データ情報に対応する音源データを特定するための情報、例えば、上述した音源データＩＤを楽曲配信装置３００へ送信する。その後、ステップＳ１２０へ進む。
【００６１】
ステップＳ１２０では、制御装置２０４は、楽曲配信装置３００から音源データを受信したか否かを判断する。ステップＳ１２０で肯定判断した場合には、ステップＳ１３０へ進む。
【００６２】
ステップＳ１３０では、制御装置２０４は、楽曲配信装置３００から受信した音源データと管理情報とをメモリに記録する。その後、処理を終了する。
【００６３】
図１０は、本実施の形態において、楽曲再生装置２００で実行される楽曲再生処理の流れを示すフローチャートである。図１０に示す処理は、ユーザによってタッチパネル２０１が操作されて楽曲の再生が指示されると起動するプログラムとして、制御装置２０４によって実行される。
【００６４】
ステップＳ２１０において、制御装置２０４は、上述したように、楽曲データの楽曲情報を一覧表示した再生対象楽曲選択画面をタッチパネル２０１に表示する。その後、ステップＳ２２０へ進む。
【００６５】
ステップＳ２２０では、制御装置２０４は、再生対象楽曲選択画面上でユーザによっていずれかの楽曲情報が選択されたか否かを判断する。ステップＳ２２０で肯定判断した場合には、ステップＳ２３０へ進む。
【００６６】
ステップＳ２３０では、制御装置２０４は、上述したように、選択された楽曲情報に対応する楽曲を再生するための楽曲再生画面をタッチパネル２０１に表示する。その後、ステップＳ２４０へ進む。
【００６７】
ステップＳ２４０では、制御装置２０４は、ユーザによって楽曲再生画面に配置された再生ボタンがタッチにより選択されたか否かを判断する。ステップＳ２４０で肯定判断した場合には、ステップＳ２５０へ進む。
【００６８】
ステップＳ２５０では、制御装置２０４は、メモリから再生対象楽曲選択画面上で選択された楽曲情報に対応する楽曲の楽曲データを読み出し、楽曲データに含まれる各パートの音源データを同時に再生してスピーカー２０５から音声を出力することにより、各パートで構成される楽曲を再生する。その後、処理を終了する。
【００６９】
一方、ステップＳ２４０で否定判断した場合には、ステップＳ２６０へ進む。ステップＳ２６０では、制御装置２０４は、ユーザによって楽曲再生画面に配置されたパート編集ボタンがタッチにより選択されたか否かを判断する。ステップＳ２６０で否定判断した場合には、ステップＳ２４０へ戻る。これに対して、ステップＳ２６０で肯定判断した場合には、ステップＳ２７０へ進む。
【００７０】
ステップＳ２７０では、制御装置２０４は、メモリから再生対象楽曲選択画面上で選択された楽曲情報に対応する楽曲の楽曲データを読み出すとともに、図７に示したように、ユーザからのパートの編集を受け付けるためのパート編集画面をタッチパネル２０１に表示する。その後、ステップＳ２８０へ進む。
【００７１】
ステップＳ２８０では、ユーザによってパート編集画面上でいずれかのパートが選択されたか否かを判断する。ステップＳ２８０で肯定判断した場合には、ステップＳ２９０へ進む。
【００７２】
ステップＳ２９０では、制御装置２０４は、ユーザによってパート編集画面上で選択されたパートの音源データとしてメモリに記録されている音源データを一覧表示して、図８に示したような音源選択画面をタッチパネル２０１に表示する。その後、ステップＳ３００へ進む。
【００７３】
ステップＳ３００では、制御装置２０４は、ユーザによって音源選択画面上でいずれかの音源データが選択されたか否かを判断する。ステップＳ３００で肯定判断した場合には、ステップＳ３１０へ進む。
【００７４】
ステップＳ３１０では、制御装置２０４は、ユーザによって音源選択画面上で選択された音源データをパート編集対象の楽曲における編集対象のパートの再生音源データに設定して、上述した設定情報を更新する。その後、ステップＳ２４０へ戻る。
【００７５】
以上説明した本実施の形態によれば、以下のような作用効果を得ることができる。
（１）制御装置２０４は、ユーザによる操作に基づいて、楽曲配信装置３００で提供されている楽曲の中から音源データを取得し、ユーザによる操作に基づいて、選択を受け付けた楽曲を構成するパートごとに、取得する音源データの選択を受け付け、ユーザによって音源データの取得が指示されたときに、選択を受け付けた音源データを楽曲配信装置３００から取得し、取得した音源データを楽曲単位でパートごとにメモリに記録するようにした。また、制御装置２０４は、ユーザによる操作に基づいて、再生対象の楽曲の選択を受け付け、ユーザによる操作に基づいて、選択を受け付けた楽曲を構成するパートごとに、再生する音源データの選択を受け付け、選択を受け付けた音源データをメモリから読み出し、読み出した音源データに基づいて、パートごとの音源データで構成される楽曲を再生するようにした。これによって、通信回線を介して接続された楽曲配信装置３００からユーザがパートごとに音源データを選択して取得し、該音源データに基づいて楽曲を再生することができる。
【００７６】
（２）制御装置２０４は、ユーザによる操作に基づいて、再生対象として選択された楽曲データに含まれる音源データの中から、変更対象の音源データの選択を受け付けるとともに、変更対象の音源データに代えて再生する再生対象の音源データの選択を受け付けるようにした。これによって、ユーザは、楽曲を構成するパートごとに、再生対象とする音源データを変更して、好みのパート編成で楽曲を楽しむことができる。
【００７７】
（３）制御装置２０４は、楽曲データに含まれるパートごとの音源データを同時に再生することにより楽曲を再生するようにした。これによって、ユーザは、パートごとの複数の音源データで構成される楽曲を視聴することができる。
【００７８】
―変形例―
なお、上述した実施の形態の楽曲再生システム１００は、以下のように変形することもできる。
（１）上述した実施の形態では、制御装置２０４は、楽曲再生画面上でパート編集ボタンがタッチされたときに、パート編集画面をタッチパネル２０１に表示して、ユーザから、パートごとの再生対象の音源データの変更を受け付ける例について説明した。しかしながら、ユーザが再生画面にタッチして楽曲の再生を指示した場合に、楽曲再生中であることを示す再生中画面をタッチパネル２０１に表示し、この再生中画面上にもパート編集ボタンを配置して、ユーザが楽曲の再生中に任意に各パートの音源データを変更できるようにしてもよい。また、この再生中画面には、再生中の楽曲に関連する画像や動画の表示領域を設け、該表示領域内に再生中の楽曲に関連する画像や動画を表示させるようにしてもよい。再生中の楽曲に関連する画像や動画としては、アーティストの写真や動画などを表示させればよく、これらの写真や動画のデータは、ユーザからの指示に基づいて、制御装置２０４が楽曲配信装置３００からダウンロードして取得するようにすればよい。
【００７９】
（２）上述した実施の形態では、制御装置２０４は、取得対象音源データ選択画面上でユーザによって選択された音源データ情報に対応する音源データを特定するための情報、例えば、音源データＩＤを楽曲配信装置３００へ送信し、楽曲配信装置３００からユーザによって選択された音源データを取得する例について説明した。このとき、制御装置２０４は、楽曲配信装置３００から音源データを取得するに当たり、ユーザから、取得予定の音源データをパートの音源として用いた場合の楽曲の試聴要求を受け付けるようにしてもよい。この場合、制御装置２０４は、ユーザが試聴を要求した音源データを含む楽曲について、音源データを取得予定のパート以外のパートについては、メモリから音源データを読出すとともに、取得予定の音源データを楽曲配信装置３００から一時的に取得し、これらを同時に再生させることにより、取得予定の音源データを反映させた楽曲を試聴のために再生させるようにすればよい。
【００８０】
（３）上述した実施の形態では、制御装置２０４は、楽曲データに含まれるパートごとの音源データを同時に再生することにより楽曲を再生する例について説明した。しかしながら、制御装置２０４は、楽曲データに含まれるパートごとの音源データを合成して再生用データを作成し、該再生用データに基づいて楽曲を再生するようにしてもよい。
【００８１】
（４）上述した実施の形態では、楽曲の再生時に、楽曲データに含まれる各パートに複数の音源データが含まれている場合には、制御装置２０４は、上述した設定情報を参照して、再生対象の音源データを選択する例について説明した。しかしながら、楽曲再生時における再生対象の音源データの選択方法はこれに限定されない。例えば、制御装置２０４が、各パートごとに複数の音源データの中からランダムに１つの音源データを選択するようにしてもよい。
【００８２】
（５）上述した実施の形態では、ユーザは、パートごとに再生音源データを選択してパートの編集を行うことができる例について説明した。このとき、ユーザは、編集後のパート構成、すなわち編集を行って各パートごとに選択した音源データの構成をお気に入りとして登録できるようにしてもよい。制御装置２０４は、ユーザによってお気に入りの登録が指示された場合には、そのパート構成を示す設定情報をお気に入り登録が指示された楽曲のお気に入り設定情報としてメモリに記録する。ユーザは、楽曲の再生時に、お気に入りとして登録したパート構成を任意に呼び出すことができることとする。制御装置２０４は、ユーザから特定の楽曲に対するお気に入りのパート構成の呼び出しが指示された場合には、メモリからその楽曲のお気に入り設定情報を読み出すことにより、お気に入りのパート構成を特定すればよい。また、メモリに、各楽曲ごとのお勧めのパート構成を示す設定情報をお勧め設定情報として記録しておき、制御装置２０４は、ユーザから特定の楽曲に対するお勧めのパート構成の呼び出しが指示された場合には、メモリからその楽曲のお勧め設定情報を読み出すことにより、お勧めのパート構成を特定するようにしてもよい。
【００８３】
（６）上述した実施の形態では、ユーザは、取得対象音源データ選択画面上で、全てのパートの音源データ情報を選択することにより、楽曲データを構成する全てのパートの音源データを取得して、楽曲を丸ごとダウンロードする例について説明した。しかしながら、ユーザは、図４に示した取得対象楽曲選択画面上でいずれかの楽曲を選択して、楽曲の丸ごとダウンロードを指示できるようにしてもよい。制御装置２０４は、ユーザによって、取得対象楽曲選択画面上でいずれかの楽曲が選択されて、楽曲の丸ごとダウンロードが指示された場合には、選択された楽曲の全てのパートの音源データを楽曲配信装置３００から取得してメモリに記録すればよい。なお、この場合、丸ごとダウンロード対象の楽曲を構成する各パートに複数の音源データが含まれる場合は、各パートごとに全ての音源データを取得してもよいし、各パートごとに、あらかじめ指定された１つの音源データのみを取得してもよい。
【００８４】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８５】
１００  楽曲再生システム
２００  楽曲再生装置
２０１  タッチパネル
２０２  通信モジュール
２０３  マイク
２０４  制御装置
２０５  スピーカー
３００  楽曲配信装置
３０１  操作部材
３０２  接続ＩＦ
３０３  制御装置
３０４  記録装置
【図１】
2015026021.tif 000003
【図２】
2015026021.tif 000004
【図３】
2015026021.tif 000005
【図４】
2015026021.tif 000006
【図５】
2015026021.tif 000007
【図６】
2015026021.tif 000008
【図７】
2015026021.tif 000009
【図８】
2015026021.tif 000010
【図９】
2015026021.tif 000011
【図１０】
2015026021.tif 000012